(57)【特許請求の範囲】
【請求項１】
走行機体に連結機構により機枠を連結し、該機枠に圃場面に溝切り可能な溝切体を設け、該機枠に該溝切体の進行方向前方位置の圃場面に散在する藁屑等の圃場散在物を側方に排出可能な前処理部材を回転自在に設け、かつ、該機枠に該溝切体の進行方向後方位置の圃場土を掬い取って側方に排出して圃場面に掘取溝を形成可能なすき部材を設け、更に、該機枠に該すき部材により掘り取られた掘取溝の左右の両上角縁部を形成する圃場上縁面及び溝内側面に摺接可能な安定部材を設けてなり、上記安定部材に上記圃場土を圧潰可能な圧潰部材を上下揺動自在に設け、上記すき部材の掘り取りによる既存の掘取溝との交差部分に生ずる閉塞土、あるいは、すき部材により掘り取られて側方に排出された掘取土の既存の掘取溝内への落ち込みにより生ずる既存の掘取溝内の閉塞土としての上記掘取溝の進行形成に起因して既存の掘取溝内に生起される閉塞土を該圧潰部材により圧潰する圧潰構造を備えてなることを特徴とする圃場溝掘機。
【発明の詳細な説明】
【技術分野】
【０００１】
本発明は例えば水田等の圃場に水はけ排水用の掘取溝を形成する圃場溝掘機に関するものである。
【背景技術】
【０００２】
従来、この種の圃場溝掘機として、走行機体に連結機構により機枠を連結し、機枠に圃場面に溝切り可能な溝切体を設け、機枠に溝切体の進行方向前方位置の圃場面に散在する藁屑等の圃場散在物を側方に排出可能な前処理部材を回転自在に設け、かつ、機枠に溝切体の進行方向後方位置の圃場土を掬い取って側方に排出して圃場面に掘取溝を形成可能なすき部材を設け、更に、機枠にすき部材により掘り取られた掘取溝の左右の両上角縁部を形成する圃場上縁面及び溝内側面に摺接可能な安定部材を設けた構造のものが知られている。
【０００３】
しかして、走行機体により機枠を走行進行すると、溝切体は回転しつつ進行して圃場面に条溝が溝切りされ、溝切体の進行方向前方の圃場面に散在する藁屑等の圃場散在物は前処理部材の回転により側方に排出され、溝切体により溝切りされた土壌はその後方のすき部材により掘り取られて側方に排出され、圃場に掘取溝が掘り取られ、すき部材により掘り取られた掘取溝の左右の両上角縁部を形成する圃場上縁面及び溝内側面に安定部材が摺接し、これにより、圃場面に連続的に掘取溝が形成されることになる。
【先行技術文献】
【特許文献】
【０００４】
【特許文献１】特許第３４７９７８１号公報
【発明の概要】
【発明が解決しようとする課題】
【０００５】
しかしながら上記従来構造の場合、既存の掘取溝に交差して掘取溝を進行形成するに際し、すき部材の掬い取り動作及び側方排出動作により交差する既存の掘取溝内に圃場土が堆積され、これら堆積土が掘取溝の流路を塞ぐ障壁となる閉塞土として作用し、しかして、上記掘取溝の進行形成に起因して既存の掘取溝内に閉塞土が生起され、閉塞土が既存の掘取溝の流路を塞ぐ障壁となり、掘取溝の水路機能を低下させることがあるという不都合を有している。
【課題を解決するための手段】
【０００６】
本発明はこれらの不都合を解決することを目的とするもので、請求項１記載の発明は、走行機体に連結機構により機枠を連結し、該機枠に圃場面に溝切り可能な溝切体を設け、該機枠に該溝切体の進行方向前方位置の圃場面に散在する藁屑等の圃場散在物を側方に排出可能な前処理部材を回転自在に設け、かつ、該機枠に該溝切体の進行方向後方位置の圃場土を掬い取って側方に排出して圃場面に掘取溝を形成可能なすき部材を設け、更に、該機枠に該すき部材により掘り取られた掘取溝の左右の両上角縁部を形成する圃場上縁面及び溝内側面に摺接可能な安定部材を設けてなり、上記安定部材に上記圃場土を圧潰可能な圧潰部材を上下揺動自在に設け、上記すき部材の掘り取りによる既存の掘取溝との交差部分に生ずる閉塞土、あるいは、すき部材により掘り取られて側方に排出された掘取土の既存の掘取溝内への落ち込みにより生ずる既存の掘取溝内の閉塞土としての上記掘取溝の進行形成に起因して既存の掘取溝内に生起される閉塞土を該圧潰部材により圧潰する圧潰構造を備えてなることを特徴とする圃場溝掘機にある。
【発明の効果】
【０００７】
本発明は上述の如く、請求項１記載の発明にあっては、走行機体により機枠を走行させることになり、溝切体の進行方向前方位置の圃場面に散在する藁屑、株等の圃場散在物は前処理部材により側方に排出され、それだけ、溝切体の溝切抵抗及びすき部材の溝掘抵抗を軽減することができ、溝切体は圃場面に条溝を切り、溝切りされた土壌はその後方のすき部材により掘り取られて側方に排出され、安定部材はすき部材により掘り取られた上記掘取溝の左右の両上角縁部を形成する圃場上縁面及び溝内側面に摺接し、安定部材によりすき部材の高低を安定なものとすることができると共にすき部材及び溝切体の横振れを抑えることができ、圃場土の状態によりすき部材が過大に圃場泥土を掬い取って牽引力が増加することを抑制でき、掘取溝の深さを略一定に保つことができ、溝掘り作業を良好に行うことができ、さらに、上記安定部材に上記圃場土を圧潰可能な圧潰部材を上下揺動自在に設け、上記すき部材の掘り取りによる既存の掘取溝との交差部分に生ずる閉塞土、あるいは、すき部材により掘り取られて側方に排出された掘取土の既存の掘取溝内への落ち込みにより生ずる既存の掘取溝内の閉塞土としての上記掘取溝の進行形成に起因して既存の掘取溝内に生起される閉塞土を圧潰部材により圧潰する圧潰構造を備えてなるから、圧潰部材は上記既存の掘取溝内への下降揺動動作及び上記圃場面への乗り上がり上昇揺動動作を繰り返し、この圧潰部材の既存の掘取溝内への下降揺動動作により圧潰部材は既存の掘取溝の流路を塞ぐ障壁としての閉塞土を圧潰して掘取溝の流路を確保することができ、水はけ排水性を妨げることがなくなり、掘取溝の排水機能を確実に保持することができる。
【図面の簡単な説明】
【０００８】
【図１】本発明の実施の形態例の全体側面図である。
【図２】本発明の実施の形態例の拡大側断面図である。
【図３】本発明の実施の形態例の部分平面図である。
【図４】本発明の実施の形態例の部分縦断面図である。
【図５】本発明の実施の形態例の部分側断面図である。
【図６】本発明の実施の形態例の部分縦断面図である。
【図７】本発明の実施の形態例の部分斜視図ある。
【図８】本発明の実施の形態例の説明部分後縦断面図である。
【図９】本発明の実施の形態例の説明部分後縦断面図である。
【発明を実施するための形態】
【０００９】
図１乃至図９は本発明の実施の形態例を示し、図１、図２の如く、１は走行機体、この場合、トラクタであって、走行機体１の後部には連結機構２により機枠３が連結され、連結機構２は左右の下部リンク４、上部リンク５、油圧アーム６及び吊上リンク７から構成され、油圧アーム６の揺動により機枠３を上下揺動自在に設けている。
【００１０】
８・８は一対の溝切体であって、図２の如く、外周部に数個の刃部８ａを切欠して有し、前記機枠３に支持部材３ａを前下り状に固定垂設し、支持部材３ａの下端部に対向一対の取付片３ｂ・３ｂを形成し、取付片３ｂ・３ｂ間に車筒９を取付け、車筒９に車軸１０を回転自在に軸受し、車軸１０の左右両端部に溝切体８・８を所定間隔を置いて取付けて構成している。
【００１１】
１１はすき部材であって、この場合、図２、図３の如く、すき部材１１の先端部は前記溝切体８・８間の幅と略同幅の先細掘取部１１ａに形成されると共に後部は掘取土Ｄを側方に排出するようにひねった排出部１１ｂに形成されている。
【００１２】
この場合、図２、図３の如く、前記機枠３の上記支持部材３ａの下部の取付片３ｂ・３ｂ間にＵ状の取付アーム１２の先端部を支持軸１３により枢着し、機枠３の上部にピン１４によりナット体１５を枢着してナット体１５をピン１４を中心として上下揺動自在に設け、ナット体１５に螺杆１６を螺着し、螺杆１６にハンドル１７を螺着してハンドル１７の正逆回動により螺杆１６を上下移動自在に設け、取付アーム１２の中程部に螺杆１６の下端部をピン１８により枢着し、取付アーム１２にすき部材１１をボルト１９により取付け、しかして、ハンドル１７の正逆回動により取付アーム１２は支持軸１３を中心として上下揺動してすき部材１１を上下調節自在に設けて構成している。
【００１３】
２０は前処理部材であって、この場合、図２、図３、図４の如く、取付軸２０ａ、取付円盤２０ｂ及び取付円盤２０ｂに放射状に複数個の排出部材２０ｃをボルト２０ｄにより取り付けてなり、駆動機構２１により回転駆動され、この場合、機枠３に入力軸２１ａ及び出力軸２１ｂを軸受２１ｃ・２１ｃにより回転自在に横設し、入力軸２１ａ及び出力軸２１ｂとの間に歯車機構２１ｄを介装し、走行機体１たるトラクタの動力取出軸１ａと入力軸２１ａとを自在継手２１ｅにより連結し、出力軸２１ｂと取付軸２０ａとを直結し、取付軸２０ａに取付円盤２０ｂを取付け、機枠３にカバー部材２０ｅを取り付け、しかして、動力取出軸１ａの回転により前処理部材２０を回転して溝切体８・８の進行方向前方位置の圃場面ａに散在する藁屑等の圃場散在物Ｅを側方に排出するように構成している。
【００１４】
２２は安定部材であって、この場合、図５、図６の如く、上記すき部材１１により掘り取られた掘取溝Ｗの左右の両上角縁部を形成する左右の圃場上縁面Ｗ１・Ｗ１及び左右の溝内側面Ｗ２・Ｗ２に摺接可能に形成されている。
【００１５】
この場合、図５、図６の如く、上記安定部材２２には、上記掘取溝Ｗの左右の両上角縁部を形成する左右の圃場上縁面Ｗ１・Ｗ１に摺接可能な上当接板面２２ａ・２２ａ、左右の溝内側面Ｗ２・Ｗ２に摺接可能な側当接板面２２ｂ・２２ｂ及び左右の側当接板面２２ｂ・２２ｂ間に接続板面２２ｃが形成され、上当接板面２２ａ・２２ａ及び接続板面２２ｃの前縁部は反り上がり面に形成され、上記取付アーム１２の後面に支持片２３を突設し、安定部材２２に連結片２４を形成し、支持片２３と連結片２４とを連結ピン２５により連結し、これにより安定部材２２を取付アーム１２に若干揺動自在に取り付けている。
【００１６】
２６は圧潰部材であって、この場合、図３、図５、図６の如く、円筒ロール状の圧潰ロール部２６ａ及びロール軸部２６ｂからなり、上記安定部材２２の連結ピン２５に左右一対のＬ状の板材からなる支持アーム２７を枢着し、支持アーム２７の基端部に二股状の支持枠部２７ａを形成し、支持枠部２７ａに円筒ロール状の圧潰部材２６のロール軸部２６ｂを回転自在に枢着し、圧潰部材２６を連結ピン２５を中心として上下揺動自在に設けて構成している。
【００１７】
しかして、図７の如く、掘取溝Ｗを進行形成するに際し、圧潰部材２６の圧潰ロール部２６ａは圃場面ａを転動走行し、既存の掘取溝ＷＫに交差して既存の掘取溝ＷＫに位置すると圧潰部材２６は連結ピン２５を中心として下降揺動し、すき部材１１の掘り取りによる既存の掘取溝ＷＫとの交差部分に生ずる閉塞土ＤＨ、あるいは、すき部材１１により掘り取られて側方に排出された掘取土Ｄの既存の掘取溝ＷＫ内への落ち込みにより生ずる既存の掘取溝ＷＫ内の閉塞土ＤＨ、すなわち、上記掘取溝Ｗの進行形成に起因して既存の掘取溝ＷＫ内に生起される閉塞土ＤＨは、図７、図８、図９の如く、連結ピン２５を中心とする圧潰部材２６の下降揺動により圧潰部材２６により圧潰されることになり、既存の掘取溝ＷＫを通過すると圧潰部材２６は連結ピン２５を中心として上昇揺動し、圧潰部材２６の圧潰ロール部２６ａは圃場面ａに乗り上がって転動走行することになり、この圧潰部材２６の下降揺動により圧潰部材２６は閉塞土ＤＨを圧潰し、既存の掘取溝ＷＫの流路を塞ぐ障壁としての閉塞土ＤＨの圧潰により流路を確保することができ、掘取溝Ｗ・ＷＫの水路機能を維持することができる。
【００１８】
２８・２９は重錘であって、図１、図２、図３の如く、前記機枠３の左右両側に吊下枠３ｃを形成し、吊下枠３ｃに重錘２８を着脱自在に搭載し、又、上記支持アーム２７に重錘２９を着脱自在に吊下し、重錘２８の自重によりすき部材１１の溝掘抵抗による機枠３の浮上を抑制し、又、上記圧潰部材２６及び重錘２９の自重により圧潰部材２６による閉塞土ＤＨの圧潰を確実に行うことができ、掘取溝Ｗ・ＷＫの水路機能を確実に維持するように構成している。
【００１９】
この実施の形態例は上記構成であるから、図１、図２の如く、連結機構２により機枠３を下降動作Ｓし、溝切体８・８の下部及びすき部材１１の下部を圃場面ａ内に穿入し、走行機体１により機枠３を走行させることになり、溝切体８・８の進行方向前方位置の圃場面ａに散在する藁屑、株等の圃場散在物Ｅは前処理部材２０により側方に排出され、それだけ、溝切体８・８の溝切抵抗及びすき部材１１の溝掘抵抗を軽減することができ、溝切体８・８は連れ回り回転しつつ進行して圃場面ａに二条の条溝Ｒを切り、この場合、刃部８ａ・８ａにより溝切抵抗が軽減され、この二条に溝切りされた間の土壌はその後方のすき部材１１により掘り取られて側方に排出され、安定部材２２はすき部材１１により掘り取られた上記掘取溝Ｗの左右の両上角縁部を形成する圃場上縁面Ｗ１・Ｗ１及び溝内側面Ｗ２・Ｗ２に摺接し、安定部材２２によりすき部材１１の高低を安定なものとすることができ、圃場土の状態によりすき部材１１が過大に圃場泥土を掬い取って牽引力が増加することを抑制でき、掘取溝Ｗの深さを略一定に保つことができ、掘取溝Ｗの溝掘作業を円滑に行うことができる。
【００２０】
この場合、図５、図６の如く、上記安定部材２２には、上記掘取溝Ｗの左右の両上角縁部を形成する左右の圃場上縁面Ｗ１・Ｗ１に摺接可能な上当接板面２２ａ・２２ａ、左右の溝内側面Ｗ２・Ｗ２に摺接可能な側当接板面２２ｂ・２２ｂ及び左右の側当接板面２２ｂ・２２ｂ間に接続板面２２ｃが形成され、上当接板面２２ａ・２２ａ及び接続板面２２ｃの前縁部は反り上がり面に形成されているから、上当接板面２２ａ・２２ａによりすき部材１１の高低を安定なものとすることができ、かつ、安定部材２２の側当接板面２２ｂ・２２ｂによりすき部材１１及び溝切体８・８の横振れを抑えることができ、溝掘り作業を良好に行うことができると共に圧潰部材２６の圧潰構造を簡素化することができる。
【００２１】
又、この際、図５、図６の如く、上記安定部材２２に上記圃場土を圧潰可能な圧潰部材２６を上下揺動自在に設け、上記すき部材１１の掘り取りによる既存の掘取溝ＷＫとの交差部分に生ずる閉塞土ＤＨ、あるいは、すき部材１１により掘り取られて側方に排出された掘取土Ｄの既存の掘取溝ＷＫ内への落ち込みにより生ずる既存の掘取溝ＷＫ内の閉塞土ＤＨとしての上記掘取溝Ｗの進行形成に起因して既存の掘取溝ＷＫ内に生起される閉塞土ＤＨを圧潰部材２６及び重錘２９の自重による圧潰構造を備えてなるから、圧潰部材２６は上記既存の掘取溝ＷＫ内への下降揺動動作及び上記圃場面ａへの乗り上がり上昇揺動動作を繰り返し、この圧潰部材２６の既存の掘取溝ＷＫ内への下降揺動動作により圧潰部材２６は既存の掘取溝ＷＫの流路を塞ぐ障壁としての閉塞土ＤＨを圧潰して掘取溝Ｗ・ＷＫの流路を確保することができ、水はけ排水性を妨げることがなくなり、掘取溝Ｗ・ＷＫの排水機能を確実に保持することができる。
【００２２】
尚、上記実施の形態例では、溝切体８・８を二枚一対の溝切体としているが、溝切体８・８をなた刃状の溝切刃としたり、一方の溝切体だけとすることもあると共に溝切体を強制回転させる構造とすることもあり、又、上記実施の形態例では一対の溝切体８・８及びすき部材１１を一組配置しているが二組以上とすることもあり、又、安定部材２２の構造等は適宜変更して設計されるものである。
【００２３】
又、上記実施の形態例においては、上記圧潰部材２６及び重錘２９の自重により閉塞土ＤＨを圧潰する構造としているが、バネ機構により圧潰する構造を採用することもある。
【００２４】
以上の如く、所期の目的を充分達成することができる。
【符号の説明】
【００２５】
ａ    圃場面
Ｅ    圃場散在物
Ｗ    掘取溝
ＷＫ    既存の掘取溝
Ｗ１    圃場上縁面
Ｗ２    溝内側面
ＤＨ    閉塞土
１    走行機体
２    連結機構
３    機枠
８    溝切体
１１    すき部材
２０    前処理部材
２２    安定部材
２６    圧潰部材
【図１】
0006472412.tif 000002
【図２】
0006472412.tif 000003
【図３】
0006472412.tif 000004
【図４】
0006472412.tif 000005
【図５】
0006472412.tif 000006
【図６】
0006472412.tif 000007
【図７】
0006472412.tif 000008
【図８】
0006472412.tif 000009
【図９】
0006472412.tif 000010